(57)【要約】【課題】  耐衝撃性が顕著に改善された携帯電話機用ＬＣＤモジュールを提供する。【解決手段】  本発明によるＬＣＤモジュールは、ＬＣＤパネル、ＬＣＤパネルを収容して支持するモールドフレーム、及びモールドフレームの剛性向上のためのシャーシを備えており、シャーシとモールドフレームが一体にインサートモールディングされたことを特徴とする。【選択図】      図５
2006053532.tif 000002
【特許請求の範囲】
【請求項１】
ＬＣＤパネルと、
前記ＬＣＤパネルを収容して支持するモールドフレームと、
前記モールドフレームの剛性増大のためのシャーシとを含み、
前記モールドフレームと前記シャーシとがインサートモールディング（insert molding）されることを特徴とするＬＣＤモジュール。
【請求項２】
前記モールドフレームは４つの周縁部を有し、
前記シャーシは前記４つの周縁部に対応する４つの側面を有し、
前記周縁部の略中央部に前記側面がそれぞれ位置するように、前記モールドフレームと前記シャーシとがインサートモールディングされることを特徴とする請求項１に記載のＬＣＤモジュール。
【請求項３】
前記モールドフレームは４つの周縁部を有し、
前記シャーシは前記４つの周縁部に対応する４つの側面を有し、
前記周縁部の外壁に前記側面がそれぞれ接するように、前記モールドフレームと前記シャーシとがインサートモールディングされることを特徴とする請求項１に記載のＬＣＤモジュール。
【請求項４】
前記シャーシは、底面を有し、該底面の周縁から前記４つの側面がそれぞれ垂直に折れ曲がって形成されたことを特徴とする請求項２または請求項３に記載のＬＣＤモジュール。
【請求項５】
金属材質の前記シャーシを備えることを特徴とする請求項４に記載のＬＣＤモジュール。
【請求項６】
ステンレス材質の前記シャーシを備えることを特徴とする請求項４に記載のＬＣＤモジュール。
【請求項７】
回動開閉可能な第１本体ケースと、
前記第１本体ケースに接続される第２本体ケースと、
前記第１及び第２本体ケースのいずれか一方に具備される情報入力装置と、
もう一方の本体ケースに具備される前記請求項１〜４のいずれかに記載のＬＣＤモジュールと、を備えることを特徴とするフォルダー型携帯電話機。
【請求項８】
スライド開閉可能な第１本体ケースと、
前記第１本体ケースに接続される第２本体ケースと、
前記第１及び第２本体ケースのいずれか一方に具備される情報入力装置と、
もう一方の本体ケースに具備される前記請求項１〜４のいずれかに記載のＬＣＤモジュールと、を備えることを特徴とするスライド型携帯電話機。
【請求項９】
本体ケースと、
前記本体ケースの下部側に具備される情報入力装置と、
前記本体ケースの上部側に具備される前記請求項１〜４のいずれかに記載のＬＣＤモジュールと、を備えることを特徴とするフリップ型携帯電話機。
【発明の詳細な説明】
【技術分野】
【０００１】
本発明は、表示装置の一つであるＬＣＤモジュールに係り、特に、携帯電話機に利用可能なＬＣＤモジュール及びこれを採用した携帯電話機に係る。
【背景技術】
【０００２】
無線通信技術の発展に伴い携帯電話機の小型化及び複雑化が進んでいる。これにより、携帯電話機の電気的な特性のみならず、機械的な特性に対しても高い信頼性が要求されている。特に、使用中に落としたり、踏んだりして携帯電話機に発生する故障は、携帯電話機の性能を評価する尺度として認識されている。
近来、前述のような理由で、ＬＣＤモジュールを生産する企業は、ＬＣＤパネルを保護するモールドフレームの剛度を向上させる方法を研究している。
【０００３】
広く用いられている方法として、金属材質の薄板をベンディングしてモールドフレームに付着するものがある。シャーシと呼ばれる前記薄板は、通常、ステンレスで形成されており、モードフレームを構成するプラスチックに比べて剛度が遥かに強くかつ薄型で広く用いられている。
図１は、一般の携帯電話機用ＬＣＤモジュールを概略的に示す。図２乃至図４は、一般のＬＣＤモジュールに用いられるモールドフレームの構造を示す。以下、これを簡単に説明する。図において、符号１０はＬＣＤパネル、２０はモールドフレーム、３０はシャーシを指す。
【０００４】
図１を参照すれば、ＬＣＤパネル１０は、モールドフレーム２０に収容されており、シャーシ３０は、モールドフレーム２０の剛性を向上させるため、モールドフレーム２０に対して組み立てられている。
図２及び図３によれば、前記モールドフレーム２０は、プラスチック射出成形技術で形成され、側面には、複数の組立突起２１が設けられている。そして、前記シャーシ３０は、薄型金属板の周縁を折曲形成して製作し、周縁の折り曲げ部には、前記組立突起２１が挿入される組立孔３１がそれぞれ設けられている。
【０００５】
前記モールドフレーム２０とシャーシ３０は、前記組立突起２１と組立孔３１が、図４のように、フック結合することによって組み立てられる。ここで、前記シャーシ３０は、モールドフレーム２０の剛性を増大させるための補強用として用いられたものである。
【発明の開示】
【発明が解決しようとする課題】
【０００６】
しかしながら、前述したような一般のＬＣＤモジュールにおいて、モールドフレーム２０の剛性を向上させるために用いられたシャーシ３０が、組立突起２１及び組立孔３１によるフック構造でモールドフレーム２０に組み立てられる。そのため、フック結合部の組立公差などでモールドフレーム２０とシャーシ３０が不完全に結合する問題が発生する。その結果、剛性増大の効果が得られず、ＬＣＤパネル１０を安定的に支持できないという問題がある。
【０００７】
前述した問題点を解決するため、ボトムシャーシに加えてトップシャーシを設ける等、２重シャーシ構造のＬＣＤモジュールも開発されたが、これは、モジュールの厚さ及び質量の増加を招くだけで、構造的な剛度増大の効果はそれに比べて低くて好ましくない。
本発明は、前記のような従来の問題点を鑑みてなされたものであって、その目的は、質量の増加なく耐衝撃性が改善されたＬＣＤモジュールを提供することにある。
【０００８】
本発明の他の目的は、前記のような耐衝撃性が顕著に改善されたＬＣＤモジュールを採用した携帯電話機を提供することにある。
【課題を解決するための手段】
【０００９】
前述した目的を達成するための本発明に係るＬＣＤモジュールは、ＬＣＤパネルと；前記ＬＣＤパネルを収容して支持するモールドフレームと；前記モールドフレームの剛性増大のためのシャーシと；を備えており、前記モールドフレームと前記シャーシが一体にインサートモールディングされたことを特徴とする。
シャーシの側面がモールドフレームの周縁部の内部に挿入されて固定されるため、モールドフレームの剛性を著しく向上させることができる。また、本発明ではモールドフレームとシャーシとをインサートモールディングにより一体に形成するため、別々のモールドフレームとシャーシとを組み立てて一体化するなどの組立工程が省略される等、組立性及び生産性の向上を図ることもできる。さらに、剛性が顕著に改善されたシャーシ一体型のモールドフレームでＬＣＤパネルを支持することで、落下等による外部からの衝撃及び加重からＬＣＤパネルを安全に保護することができる。従って、携帯電話機等の衝撃信頼性を大幅に向上させることができる。
【００１０】
好適な実施形態によれば、本発明のＬＣＤモジュールは、４つの周縁部を有するモールドフレームと；４つの周縁部に対応する４つの側面を有するシャーシと；を備えており、４つの周縁部の略中央部に４つの側面がそれぞれ位置するように、モールドフレームとシャーシがインサートモールディングされたことを特徴とする。
他の実施形態によれば、本発明のＬＣＤモジュールは、４つの周縁部を有するモールドフレームと；４つの周縁部に対応する４つの側面を有するシャーシと；を備えており、４つの周縁部の外壁に４つの側面がそれぞれ接するように、モールドフレームとシャーシがインサートモールディングされたことを特徴とする。
【００１１】
ここで、シャーシは、底面を有し、該底面の周縁から４つの側面がそれぞれ垂直に折れ曲がって形成される。このシャーシは金属で形成されており、ステンレスで形成されるのが好ましい。金属性のシャーシにより、モールドフレームの剛性を高めることができる。
本発明の好適な他の実施形態によれば、ＬＣＤモジュールは、ＬＣＤパネルと；前記ＬＣＤパネルを収容して支持する４つの周縁部を有するモールドフレームと；を備えており、前記モールドフレームには、剛性増大のための補強用シャーシが一体にインサートモールディングされたことを特徴とする。
【００１２】
シャーシは、モールドフレームの周縁部の略中央部にそれぞれ位置する４つの側面を有する。ここで、４つの側面は、周縁部の外壁に接するように構成されても良い。このシャーシは、ステンレスで形成されるのが良い。
なお、本発明の他の目的を達成するための携帯電話機は、回動開閉可能な第１本体ケース及び第２本体ケースと、前記第１及び第２の本体ケースのいずれか一方に具備される情報入力装置と、もう一方の本体ケースに具備されるＬＣＤモジュールとを有する。また、前記ＬＣＤモジュールは、ＬＣＤパネルと、前記ＬＣＤパネルを収容して支持する４つの周縁部を有し、更に、剛性増大のための補強用シャーシが一体にインサートモールディングされたモールドフレームとを備えることを特徴とする。
【００１３】
前記シャーシは、４つの前記周縁部の略中央部にそれぞれ位置する４つの側面を有する。
また、シャーシは、底面を有し、該底面の周縁から前記４つの側面がそれぞれ垂直に折れ曲がって形成される。このシャーシは、ステンレスで形成されるのが好ましい。
【発明の効果】
【００１４】
前記のように、本発明は、剛性が顕著に改善されたシャーシ一体型のモールドフレームでＬＣＤパネルを支持しており、落下等による外部からの衝撃及び加重からＬＣＤパネルを安全に保護することができる。従って、携帯電話機等の衝撃信頼性を大幅に向上させることができる。
また、本発明によれば、モールドフレームとシャーシがインサートモールディング工程によって一体に形成されるため、従来のモールドフレームとシャーシの組立工程が省略される等、組立性及び生産性の向上を図ることもできる。
【発明を実施するための最良の形態】
【００１５】
以下、本発明の好適な実施形態を添付した図面に基づいて詳説する。
図５乃至図８は、本発明の一実施形態に係るＬＣＤモジュールを説明するための図である。
図５乃至図８に示すように、本発明の一実施形態に係るＬＣＤモジュール１００は、ＬＣＤパネル１１０、モールドフレーム１２０、及びシャーシ１３０を備えており、前記モールドフレーム１２０とシャーシ１３０がインサートモールディング（insert molding）され一体に形成されたことを特徴とする。
【００１６】
前記モールドフレーム１２０は、プラスチックのような樹脂剤で形成され、図６及び図７のように、４つの周縁部１２１〜１２４を有する。また、前記シャーシ１３０は金属、好ましくはステンレスで形成され、底面１３５の周縁から４つの側面１３１〜１３４が垂直に折れ曲がって形成される。金属性のシャーシにより、モールドフレームの剛性を高めることができる。
【００１７】
前記のような構造のシャーシ１３０をインサートモールディング工程を利用してモールドフレーム１２０内に挿入するが、シャーシ１３０の４つの側面１３１〜１３４がモールドフレーム１２０の周縁部１２１〜１２４の中央部に位置するようにモールディング工程を実施して、全体の剛性が大幅に向上されたモールドフレーム１２０を製造する。
即ち、図４に示すように、従来は、モールドフレーム２０とシャーシ３０を別々に作製した後、組立突起２１と組立孔３１によって組み立てたため、組立公差などでモールドフレーム２０とシャーシ３０が不完全に結合し、要求される剛性向上の効果を得ることができなかった。ところが、本発明によれば、モールドフレーム１２０とシャーシ１３０がインサートモールディング工程によって一体に成形される。このとき、シャーシ１３０の４つの側面１３１〜１３４は、図５に示すようにモールドフレーム１２０の周縁部１２１〜１２４内部に挿入されて固定される。そのため、モールドフレームの剛性を著しく向上させることができる。
【００１８】
また、本発明ではモールドフレームとシャーシとをインサートモールディングにより一体に形成するため、別々のモールドフレームとシャーシとを組み立てて一体化するなどの組立工程が省略される等、組立性及び生産性の向上を図ることもできる。さらに、剛性が顕著に改善されたシャーシ一体型のモールドフレームでＬＣＤパネルを支持することで、落下等による外部からの衝撃及び加重からＬＣＤパネルを安全に保護することができる。従って、携帯電話機等の衝撃信頼性を大幅に向上させることができる。
【００１９】
図９Ａ及び図９Ｂは、本発明によるＬＣＤモジュールと従来ＬＣＤモジュールの剛性を分析比較したグラフである。分析にはＬＳ−ＤＹＮＡが利用され、モジュールの両端を固定し、中央部を押圧する３軸ベンディング（bending）現象を分析した。図９Ａは、Ｘベンディングの結果であり、図９Ｂは、Ｙベンディングの結果である。同図によれば、Ｘベンディングの分析では、本発明のインサートモールディング（Insert Molding）の場合が従来のホックアセンブリ（Hook assemble）に比べて７倍程度剛性が増加し、Ｙベンディングの分析でも、本発明の場合が従来に比べて６倍程度剛性が増加した。
【００２０】
前記分析結果により、ＬＣＤパネルを衝撃などから安全に保護することができる。
図１０は、本発明の他の実施形態に係るＬＣＤモジュールの要部構成を示す。同図に示すように、本実施形態は、モールドフレーム２２０とシャーシ２３０をインサートモールディングして一体化することにより、シャーシ２３０の側面２３１、２３２（４つであるが、ここでは左右のみを示す。）がモールドフレーム２２０の周縁部２２１、２２２の外側に接するように構成されたことを除いて、前述した本発明の一実施形態と同一の構造を有する。このような本発明の他の実施形態でも、従来の場合と比べて著しく剛性が向上されたモールドフレームを提供可能であり、ＬＣＤパネルを衝撃から安全に保護することができる。
【００２１】
図１１は、本発明のまた他の実施形態に係るＬＣＤモジュールの要部構成を示す断面図である。同図に示すように、本実施形態では、インサートモールディングによりモールドフレーム３２０の周縁部３２１、３２２に内装されるシャーシ３３０が底面を有しておらず、側面３３１、３３２（４つの側面があるが、ここでは左右のみを示す。）のみを有するという特徴がある。つまり、シャーシ３３０は側面のみのフレームで形成され、モールドフレーム４つの周縁部を支持するようにインサートモールディングされる。なお、他の構造及びそれに伴う作用効果は、既に説明した実施形態と類似する。本実施形態では、前述した実施形態に比べてシャーシ３３０が底面を有していないため、シャーシの質量が減少し軽量化を図ることができる。また、シャーシが４つの側面のみで構成されているにもかかわらず、それらの側面がモールドフレームを支持して剛性を高めるため、前記実施形態と同一な、またはより向上された剛性効果を得ることができる。
【００２２】
図１２は、前記特徴を有する本発明によるＬＣＤモジュール１００を採用した携帯電話機の一例を概略的に示す。同図に示すように、携帯電話機は、互いに回動開閉可能な第１本体ケース４００及び第２本体ケース５００を有し、前記第１本体ケース４００には、情報入力装置６００が具備され、第２本体ケース５００には、ＬＣＤモジュール１００が具備されている。
【００２３】
ここで、前記ＬＣＤモジュール１００が、前記したような剛性が顕著に改善されたモールドフレームを備えているため、外部の衝撃などからＬＣＤパネルを安全に保護することができる。
従って、携帯電話機の落下による衝撃、外部からの加重などからＬＣＤパネルの破損や損傷を防ぐことができる。
【００２４】
図では、フォルダー型携帯電話機を説明したが、フリップ型及びスライド型携帯電話機のＬＣＤモジュールにも本発明を適用することができる。また、携帯電話機のみならずＬＣＤモジュールを表示装置として使用した全ての情報家電機器にも、本発明のＬＣＤモジュールを効果的に適用することができる。
以上では、本発明の原理を例示するため好適な実施形態について図示し説明したが、本発明は、上述した特定の実施形態に限定されるものではなく、特許請求の範囲で請求している本発明の要旨を逸脱することなく当該発明の属する技術分野における通常の知識を有する者であれば誰でも種々の変形実施が可能であることはもとより、そのような変更は、本発明の特許請求の範囲に含まれることは自明である。
【産業上の利用可能性】
【００２５】
本発明によるＬＣＤモジュールは、剛性が向上され、外部衝撃等に強いため、耐衝撃性が顕著に改善された携帯電話機などに利用価値が高い。
【図面の簡単な説明】
【００２６】
【図１】携帯電話機用ＬＣＤモジュールの典型的な例を示す斜視図である。
【図２】図１に示すＬＣＤモジュールに用いられるモールドフレームの分解斜視図である。
【図３】図２の組立状態の斜視図である。
【図４】図３の断面図である。
【図５】本発明の一実施形態に係るＬＣＤモジュールの要部であるモールドフレームの断面図である。
【図６】図５に示すモールドフレームの分解斜視図である。
【図７】図６の組立状態の斜視図である。
【図８】図７に示すモールドフレームにＬＣＤパネルが組み立てられた状態の斜視図である。
【図９Ａ】本発明によるＬＣＤモジュールと従来ＬＣＤモジュールの剛性を比較したグラフである（Ｘベンディング）。
【図９Ｂ】本発明によるＬＣＤモジュールと従来ＬＣＤモジュールの剛性を比較したグラフである（Ｙベンディング）。
【図１０】本発明の他の実施形態に係るＬＣＤモジュールの要部であるモールドフレームの断面図である。
【図１１】本発明のさらに他の実施形態に係るＬＣＤモジュールの要部であるモールドフレームの断面図である。
【図１２】本発明によるＬＣＤモジュールを適用したフォルダー型の携帯電話機を概略的に示す分解斜視図である。
【符号の説明】
【００２７】
１００  ＬＣＤモジュール
１１０  ＬＣＤパネル
１２０、２２０、３２０  モールドフレーム
１２１〜１２４  モールドフレームの周縁部
１３０、２３０、３３０  シャーシ
１３１〜１３４  シャーシの側面
１３５  シャーシの底面
４００、５００  携帯電話機の本体ケース
６００  情報入力装置
【図１】
2006053532.tif 000003
【図２】
2006053532.tif 000004
【図３】
2006053532.tif 000005
【図４】
2006053532.tif 000006
【図５】
2006053532.tif 000007
【図６】
2006053532.tif 000008
【図７】
2006053532.tif 000009
【図８】
2006053532.tif 000010
【図９Ａ】
2006053532.tif 000011
【図９Ｂ】
2006053532.tif 000012
【図１０】
2006053532.tif 000013
【図１１】
2006053532.tif 000014
【図１２】
2006053532.tif 000015